(57)【要約】【課題】コンクリート境界杭を簡単な工法で埋設穴を安全かつ能率良く掘削すること。【解決手段】ピン１５で本体１、打設体２、押出体３が一体化された埋設具をコンクリート境界杭の埋設場所に持ち運び、ピン１５を引抜き、パワーシャベルなどの土木機械で使用して打設体を吊り上げ、埋設地点にセットし、パワーシャベルのバケットを打設体に押し当てて上から押圧し、地中へ所定の深さ押し込み、打設体を引抜くと、埋設穴が作られ、そこにコンクリート境界杭を入れて埋め戻す。掘削土で充たされた打設体を本体の打設体受け部１１に入れた後、その打設体の上部開口に押出体をセットし、パワーシャベルのバケットで押出体を押し込むと、掘削土が本体の基部内の空間１０ａに押し出される。【選択図】図１
2005147781.tif 000002
【特許請求の範囲】
【請求項１】
コンクリート製の境界杭の埋設穴を掘削するための内径を有する両端開放された胴部に、該先端に刃部を設け、前記胴部を刃部から前記境界杭の埋設地点に押打して前記埋設穴を掘削する打設体と、
設置可能な基部および前記打設体を上部開口から挿入可能な打設体受け部から成り、該打設体受け部を基部に立設した本体と、
前記打設体内の掘削土を上方から挿し込んで下方に土を押し出す押出体と、を備え、
前記埋設穴を掘削した土で充たされた前記打設体を前記本体の打設体受け部に入れ、該打設体に前記押出体を差し込んで掘削土を前記本体の基部に押し出すことを特徴とする境界杭の埋設具。
【請求項２】
請求項１において、打設体の刃部を着脱可能に構成されていることを特徴とする境界杭の埋設具。
【請求項３】
請求項１において、本体の打設体受け部に打設体を入れ、該打設体に押出体を入れ、この３つの要素を貫通するピン穴を設け、該ピン穴にピンを通して一体化する手段が設けられていることを特徴とする境界杭の埋設具。
【請求項４】
請求項１において、打設体の上部側面には横向きの穴が形成された打設体側金具を固着するとともに、本体の打設体受け部の上部側面には前記打設体側金具に対向し、横向きの穴が形成された本体側金具を固着し、前記本体の打設体受け部に打設体を入れ、前記両金具にピンを通して結合する手段を備えていることを特徴とする境界杭の埋設具。
【請求項５】
請求項１〜４のいずれかにおいて、打設体の上端に受け鍔を固着し、該受け鍔の上面に吊り輪が取り付けられていることを特徴とする境界杭の埋設具。
【請求項６】
請求項１〜５のいずれかにおいて、本体は打設体受け部に自在キャスタおよび基部にキャスタが配置されていることを特徴とする境界杭の埋設具。
【発明の詳細な説明】
【技術分野】
【０００１】
本発明は、道路と民地、民地と民地間の境界等に設置されるコンクリート製の境界杭（境界標）の設置作業を能率的に行うための埋設具に関するものである。
【背景技術】
【０００２】
従来、境界杭は角柱形状のコンクリート境界杭やプラスチック境界杭が使われている。この種の境界杭の埋設工事において、エンジン付き掘削機でラセン式掘削刃を回転させ、円形に掘削するか、或いは作業員がスコップ等で堀るかのいずれかによって埋設穴が掘られている。しかし、機械式掘削の場合は能率よく作業ができるが、高価であるばかりでなく、ラセン式掘削刃が正確に堀り進むように人力で押さえるため、硬い地面の場合は押さえている作業員が振り回される危険があって、現在ではほとんど使われていない。一方、作業員が掘る方式は人手もかかり、重労働かつ非能率的である。
作業員の労力を軽減するものとして、回転治具を使用し、作業員が回転治具を手回して境界杭を回転させながら埋設する方式が引用文献１に提案されている。
【特許文献１】特開平５−３０６５１７号公報
【発明の開示】
【発明が解決しようとする課題】
【０００３】
上記の回転埋設方式は境界杭が従来の角柱形状とは異なり、特殊な構造に成っているため、高価であるばかりか、現在普及しているものへの転用もできない。
本発明の目的は、現在使用しているコンクリート境界杭を簡単な工法で埋設穴を安全かつ能率良く掘削することを可能にしたコンクリート境界杭の埋設具を提供することにある。
【課題を解決するための手段】
【０００４】
請求項１の発明に係る境界杭の埋設具は、コンクリート製の境界杭の埋設穴を掘削するための内径を有する両端開放された胴部に、該先端に刃部を設け、胴部を刃部から前記境界杭の埋設地点に押打して埋設穴を掘削する打設体と、設置可能な基部および打設体を上部開口から挿入可能な打設体受け部から成り、該打設体受け部を基部に立設した本体と、打設体内の掘削土を上方から挿し込んで下方に土を押し出す押出体とを備え、埋設穴を掘削した土で充たされた打設体を本体の打設体受け部に入れ、該打設体に押出体を差し込んで掘削土を本体の基部に押し出すことを特徴とする。
【０００５】
請求項２の発明は、請求項１において、打設体の刃部を着脱可能に構成されていることを特徴とする。
【０００６】
請求項３の発明は、請求項１において、本体の打設体受け部に打設体を入れ、該打設体に押出体を入れ、この３つの要素を貫通するピン穴を設け、該ピン穴にピンを通して一体化する手段が設けられていることを特徴とする。
【０００７】
請求項４の発明は、請求項１において、打設体の上部側面には横向きの穴が形成された打設体側金具を固着するとともに、本体の打設体受け部の上部側面には打設体側金具に対向し、横向きの穴が形成された本体側金具を固着し、本体の打設体受け部に打設体を入れ、両金具にピンを通して結合する手段を備えていることを特徴とする。
【０００８】
請求項５の発明は、請求項１〜４のいずれかにおいて、打設体の上端に受け鍔を固着し、該受け鍔の上面に吊り輪が取り付けられていることを特徴とする。
【０００９】
請求項６の発明は、請求項１〜５のいずれかにおいて、本体は打設体受け部に自在キャスタおよび基部にキャスタが配置されていることを特徴とする。
【発明の効果】
【００１０】
請求項１の発明によれば、埋設具をコンクリート境界杭の埋設場所に持ち運び、パワーシャベルなどの土木機械を使用して打設体を埋設地点にセットし、パワーシャベルのバケットを打設体に押し当てて上から押圧し、地中へ所定の深さ押し込む。その後引き抜くと、埋設穴が作られる。打設体を本体の打設体受け部に入れ、押出体を上から打設体に入れて押し込むと、掘削土が本体の基部に押し出される。一方、埋設穴にコンクリート境界杭を入れ、掘削土で埋め戻す。このようにコンクリート境界杭の埋設に必要な最小限の径の埋設穴を非常に能率良く作ることができ、その際の掘削土も少量なため、埋め戻し作業も楽にできる。更に、打設体を埋設地点に正確にセットし、掘ることができるため、コンクリート埋設杭を埋設地点に正しく埋設することができる。
【００１１】
請求項２の発明によれば、刃先の磨耗による交換が容易であり、刃先を研削するときも比較的軽量な刃部を取り扱えるため、作業性が向上されるとともに、打設体を交換するより刃部のみを交換する方が安く、経済的である。
【００１２】
請求項３の発明によれば、本体、打設体、押出体の３つの要素をピンにより一体化することで、移動や持ち運びのための作業がし易くなる。
【００１３】
請求項４の発明によれば、掘削土の土質によって打設体の内面にこびりついていることがあるため、このように状態で打設体に押出体を押し込んで掘削土を押し出しても打設体と押出体との間の残土によって両部材がしっかり結合されてしまい、押出体を引き上げると一緒に打設体も引き上げられ、打設体から押出体を抜き去ることができなくなる。そこで、本体と打設体とをピン結合することで、押出体のみを引き抜くことができるようになり、作業性が向上される。
【００１４】
請求項５の発明によれば、本体と打設体、打設体と押出体、或いは本体と打設体と押出体の各要素をピンにより一体化し、打設体の吊り輪を使ってパワーシャベルなどの土木機械で吊り上げ、簡単かつ安全に移動や持ち運びが可能となる。
【００１５】
請求項６の発明によれば、手押しにより短い距離の移動ができ、取扱い性に優れている。
【発明を実施するための最良の形態】
【００１６】
コンクリート埋設杭の埋設穴に合わせて作製された打設体を埋設地点にセットし、パワーシャベル等の土木機械を使って打設体を上から押圧し、この打設体を土中に所定の深さ押し込んだ後、打設体を抜き去り、本体に打設体を挿入し、この打設体に押出体を入れて押し込むことで掘削土を押し出すとともに、上記において出来た埋設穴にコンクリート埋設杭を入れて埋め戻すことで実現した。
【実施例１】
【００１７】
図１は本発明に係る埋設具の組付け時を示す斜視図、図２は本体の斜視図、図３は打設体の斜視図、図４は押出体の斜視図である。埋設具は本体１、打設体２、押出体３から構成されている。本体１は安定して設置可能な基部１０の中央に打設体受け部１１を垂直に立設した構造に作製されている。
【００１８】
図２において、基部１０は後述の打設体２から押し出された掘削土を受け止める内空間１０ａを有する。また打設体受け部１１は後述の打設体２を上部開口１２から収容するため、打設体２の断面形状と同形の内空間を有し、打設体２の長さにほぼ等しい高さに形成されている。埋設具を現場へ持ち運んだり、現場から持ち去るときのために、打設体受け部１１側に自在キャスタ１３、基部１０の両側方に一対の固定キャスタ１４が設けられている。打設体受け部１１の一方の側面とそれに対向する側面には、引抜きピン１５が貫通するピン穴１６が穿設されている。引抜きピン１５は一端を打設体受け部１１に固設されたチェーン１７の他端に取り付けられている。打設体受け部１１の上部には、後述の押出体３の使用時に打設体２を本体１に結合するため、上端から自在キャスタ１３の方向に溝１８が形成され、その溝１８の近傍に、横向きの穴１９ａが穿設された本体側金具１９が取り付けられている。
【００１９】
図３において、打設体２は胴部２０が打設体受け部１１の内径より若干小さい外径を有し、打設体受け部１１の上部開口１２から挿入可能な四角形の中空鋼材で作製されており、胴部先端縁には外側から内側に傾斜した刃部２１が研削されて設けられているとともに、胴部上端には打設体受け部１１の上部開口端の全面に当て止められる受け鍔２２が固着されている。刃部２１は打設体２と一体形成されたもの、あるいは別体にて構成し、打設体２の先端部分に着脱可能な構造にすることもできる。刃部２１を打設体２に着脱可能な構造を採用した場合には、刃先の磨耗による交換が容易であり、刃先を研削するときも比較的軽量な刃部２１を取り扱えるため、作業性が向上されるとともに、打設体２を交換するより刃部２１のみを交換する方が安く、経済的である。
【００２０】
受け鍔２２には胴部２０を利用して補強枠２３が固設され、その補強枠２３で補強された位置に吊り輪２４が配置されている。吊り輪２４が設けられた胴部２０側とは直交する側面の受け鍔２２に近い位置に打設体側金具２５が固定され、この打設体側金具２５には側面に横向きの穴２５ａが穿設されている。吊り輪２４が配置された胴部２０側には打設体受け部１１のピン穴１６に一致したピン穴２７が穿設されている。打設体側金具２５は打設体２を本体１の打設体受け部１１に入れたとき、打設体側金具２５の一部が溝１８に位置される。
【００２１】
図４において、押出体３は角材で作製され、打設体２の内径より若干小さい外径で打設体より充分長く形成されており、上部および下部はカツラ金具３０を被覆されている。他の変形例としては、下部は鉄材を装着する構造であっても良い。カツラ金具３０で覆われた上部の側部には吊り輪３１が取り付けられている。押出体３の吊り輪３１が設けられた側部と同一側に、打設体受け部１１のピン穴１６及び打設体２のピン穴２７と同一位置となるピン穴３２が貫通されている。
【００２２】
次に本実施例の作用を説明する。各図は断面を示すもので、図５は移動や持ち運び時の本体１、打設体２、押出体３を一体化を示している。パワーシャベル等の土木機械を使用して、一体化された埋設具を境界杭の埋設場所に持ち運び、ピン１５を抜いて、押出体３、打設体２を順次吊り上げて本体１から外す。打設体２を埋設地点にセットし、パワーシャベルのバケットにより上から押圧して打設体２を地中に所定の深さに押し込む（図６）。その後、打設体２を引抜き（図７）、埋設穴４０にコンクリート境界杭５０を入れる（図８Ａ）。一方、掘削土４１で充たされた打設体２を吊り上げ、本体の打設体受け部１１に入れる（図９）。その後、押出体３を吊り上げ、打設体２に差し入れ、図示せずピンを本体側金具１９のピン穴１９ａと打設体側金具２５のピン穴２５ａに通して本体１と打設体２を結合する。続いて、打設体２に押出体３を押し込み、掘削土４１を基部１０内の空間１０ａに押し出す（図１０）。そして、図８Ｂに示すように掘削土などの土４１を埋設穴４０に埋め戻してコンクリート境界杭５０を設置する（図８Ｂ）。
【図面の簡単な説明】
【００２３】
【図１】本発明に係る埋設具の組付け時を示す斜視図である。
【図２】本体の斜視図である。
【図３】打設体の斜視図である。
【図４】押出体の斜視図である。
【図５】埋設具の断面図である。
【図６】打設体を埋設地点の地中に押し込む状況を示す図である。
【図７】打設体を所定の深さに押し込んで引き抜く状況を示す図である。
【図８】埋設穴に境界杭を入れた状況を示す図である。
【図９】打設体を本体に入れ、ピン結合した状況を示す図である。
【図１０】打設体に充たされた掘削土を押出体で押し出す状況を示す図である。
【符号の説明】
【００２４】
１    本体
２    打設体
３    押出体
１０  基部
１１  打設体受け部
１５  ピン
１９  本体側金具
２０  胴部
２１  刃部
２２  受け鍔
２４  吊り輪
２５  打設体側金具
３１  吊り輪
４０  埋設穴
４１  掘削土
５０  コンクリート境界杭
【図１】
2005147781.tif 000003
【図２】
2005147781.tif 000004
【図３】
2005147781.tif 000005
【図４】
2005147781.tif 000006
【図５】
2005147781.tif 000007
【図６】
2005147781.tif 000008
【図７】
2005147781.tif 000009
【図８】
2005147781.tif 000010
【図９】
2005147781.tif 000011
【図１０】
2005147781.tif 000012
【手続補正書】
【提出日】平成15年12月4日(2003.12.4)
【手続補正１】
【補正対象書類名】図面
【補正対象項目名】図８
【補正方法】変更
【補正の内容】
【図８】
2005147781.tif 000013